(57)【要約】【課題】一括ゴム栓を用いた防水コネクタで防水の信頼性をさらに高める。【解決手段】一括ゴム栓２０に開口された電線Ｗの挿通孔２３の回りには、４個の圧入孔４０Ａ，４０Ｂが形成され、ホルダ３０に突設された圧入ピン５０Ａ，５０Ｂが圧入可能とされる。それらの挿通孔２３と対向した辺が、円弧形辺４１，５１とされる。圧入ピン５０Ａ，５０Ｂが圧入孔４０Ａ，４０Ｂ内に圧入されることに伴い、挿通孔２３の周縁部が四方から押圧されるが、特に圧入孔４０Ａ，４０Ｂの挿通孔２３と対向する部分が円弧形辺４１となっているから、全周のうちの広い領域において押圧される。そのため、電線Ｗの外周面の全周にわたってほぼ満遍なくリップ２４の内周面が強固に密着され、電線Ｗ回りについて高いシール性が得られる。【選択図】図１０
2008166045.tif 000002
【特許請求の範囲】
【請求項１】
電線の端末に接続された端子金具が後方から挿入されるキャビティを有するコネクタハウジングと、
前記コネクタハウジングの後面に配され前記端子金具と電線とを挿通可能な挿通孔が設けられた一括型のゴム栓と、
このゴム栓を前記コネクタハウジングの後面に密着した状態に保持するべく前記ゴム栓の後面側において前記コネクタハウジングに組付可能なホルダと、
前記ゴム栓の後面において前記挿通孔の回りに周方向に間隔を開けて形成された圧入孔と、
前記ホルダの前面に突設され同ホルダが前記コネクタハウジングに組み付けられた際に各圧入孔に個別に圧入可能な圧入突部と、
が備えられ、
かつ、前記圧入孔並びに前記圧入突部における前記挿通孔と対向する部分の形状が、前記挿通孔の周縁に倣った弧状に形成されていることを特徴とする防水コネクタ。
【請求項２】
前記挿通孔が縦横に複数個整列して設けられるとともに、前記圧入孔が各挿通孔とは縦横にずれた位置に配されたものであって、
前記圧入孔のうち回りに４個の挿通孔が配される圧入孔では、同圧入孔に圧入される圧入突部ともども、原型が斜方形でかつ同斜方形の各辺が円弧状をなす断面形状に、また一側に２個の挿通孔が配される圧入孔では、同圧入孔に圧入される圧入突部ともども、原型が二等辺三角形でかつ同二等辺三角形の両斜辺が円弧状をなす断面形状に、それぞれ形成されていることを特徴とする請求項１記載の防水コネクタ。
【請求項３】
前記圧入孔の内周面の隅部、並びに前記圧入突部の外周面の角部には、それぞれ丸みが付されていることを特徴とする請求項２記載の防水コネクタ。
【請求項４】
前記ホルダと前記コネクタハウジングとの間には、前記圧接突部が対応する圧入孔に圧入される手前に留まる仮係止位置と、前記圧接突部が対応する圧入孔に圧入される本係止位置との２位置に前記ホルダを保持可能な保持手段が設けられていることを特徴とする請求項１ないし請求項３のいずれか１項に記載の防水コネクタ。
【発明の詳細な説明】
【技術分野】
【０００１】
本発明は、一括ゴム栓を用いた防水コネクタに関する。
【背景技術】
【０００２】
この種の防水コネクタは、ハウジングの後面側に端子金具及び電線を挿通可能な挿通孔が複数個開口された一括ゴム栓が装着され、ホルダで押さえられて保持された構造であって、端子金具を挿通孔に挿通しつつハウジングのキャビティ内に収容すると、電線の外周面に挿通孔の内周面が弾性的に密着することで電線周りのシールが図られるようになっているが、そのシール性を高めるために、特許文献１に記載されたような手段を講じたものが知られている。
【０００３】
このものは、一括ゴム栓において挿通孔が縦横に複数個整列して開口されているのに対して、同ゴム栓の後面には、各挿通孔の回りに４個の圧入孔が９０度間隔で形成されている一方、ホルダの前面には、各圧入孔に圧入可能な丸ピンが突設されている。そして、丸ピンが圧入されていない状態において、端子金具並びに電線がゴム栓の挿通孔に挿通されてキャビティに収容され、そののちホルダを組み付けることで圧入孔に対応する丸ピンが圧入されると、挿通孔の周縁部が径方向の内方に押圧されることで、圧縮されつつ電線の外周に密着されてシールが取られる。すなわち、端子金具並びに電線の挿通作業性を良好に保ちつつ、電線回りのシール性が高められるようになっている。
【特許文献１】特開２００４−３４２４１５公報
【発明の開示】
【発明が解決しようとする課題】
【０００４】
しかしながら上記の従来手段では、挿通孔の周縁部を内方に押圧する手段として、円形の圧入孔に対して丸ピンを圧入するようにしており、この場合、挿通孔の周縁部が回りから押圧されるとは言っても、９０度の角度間隔を開けた位置の点に近い狭い領域ごとに押圧されることになる。そのため厳密に言うと、挿通孔の内周面が電線の外周面に強固に密着される部分と、そうでない部分ができ、言い換えると、電線の外周面の全周において、挿通孔の内周面の密着の度合いにばらつきができ、シールの信頼性を考慮した場合に、さらなる改良が切望されていた。  
本発明は上記のような事情に基づいて完成されたものであって、その目的は、防水の信頼性をより高めるところにある。
【課題を解決するための手段】
【０００５】
上記の目的を達成するための手段として、請求項１の発明は、電線の端末に接続された端子金具が後方から挿入されるキャビティを有するコネクタハウジングと、前記コネクタハウジングの後面に配され前記端子金具と電線とを挿通可能な挿通孔が設けられた一括型のゴム栓と、このゴム栓を前記コネクタハウジングの後面に密着した状態に保持するべく前記ゴム栓の後面側において前記コネクタハウジングに組付可能なホルダと、前記ゴム栓の後面において前記挿通孔の回りに周方向に間隔を開けて形成された圧入孔と、前記ホルダの前面に突設され同ホルダが前記コネクタハウジングに組み付けられた際に各圧入孔に個別に圧入可能な圧入突部と、が備えられ、かつ、前記圧入孔並びに前記圧入突部における前記挿通孔と対向する部分の形状が、前記挿通孔の周縁に倣った弧状に形成されている構成としたところに特徴を有する。
【０００６】
請求項２の発明は、請求項１に記載のものにおいて、前記挿通孔が縦横に複数個整列して設けられるとともに、前記圧入孔が各挿通孔とは縦横にずれた位置に配されたものであって、前記圧入孔のうち回りに４個の挿通孔が配される圧入孔では、同圧入孔に圧入される圧入突部ともども、原型が斜方形でかつ同斜方形の各辺が円弧状をなす断面形状に、また一側に２個の挿通孔が配される圧入孔では、同圧入孔に圧入される圧入突部ともども、原型が二等辺三角形でかつ同二等辺三角形の両斜辺が円弧状をなす断面形状に、それぞれ形成されているところに特徴を有する。  
請求項３の発明は、請求項２に記載のものにおいて、前記圧入孔の内周面の隅部、並びに前記圧入突部の外周面の角部には、それぞれ丸みが付されているところに特徴を有する。
【０００７】
請求項４の発明は、請求項１ないし請求項３のいずれか１項に記載のものにおいて、前記ホルダと前記コネクタハウジングとの間には、前記圧接突部が対応する圧入孔に圧入される手前に留まる仮係止位置と、前記圧接突部が対応する圧入孔に圧入される本係止位置との２位置に前記ホルダを保持可能な保持手段が設けられているところに特徴を有する。
【発明の効果】
【０００８】
＜請求項１の発明＞
ゴム栓の挿通孔に端子金具並びに電線が挿通されたのち、ホルダの組み付けに伴って圧入突部が対応する圧入孔に圧入されると、挿通孔の周縁部が回りから押圧されてその内周面が電線の外周面に密着される。  
ここで、挿通孔の回りに配された圧入孔並びに圧入突部における挿通孔と対向する部分の形状が、挿通孔の周縁に倣った弧状に形成されているから、挿通孔の周縁部を内方に押圧する場合に、全周のうちの広い領域において押圧することができる。そのため、電線の外周面の全周にわたってほぼ満遍なく挿通孔の内周面が強固に密着され、電線回りについて高いシール性を得ることができる。
【０００９】
＜請求項２の発明＞
各挿通孔の回りにおいて４個の圧入孔が配された場合、各圧入孔における挿通孔と対向した部分が円弧形をなしていることで、挿通孔の周縁部はほぼ全周から内方に押圧され、そのため電線の外周面の全周にわたってほぼ満遍なく挿通孔の内周面が強固に密着される。  
＜請求項３の発明＞
圧入孔の隅部から亀裂が入ることが防止される。
【００１０】
＜請求項４の発明＞
ホルダが仮係止位置に保持された状態で、端子金具並びに電線が挿通孔に挿通され、そのとき挿通孔は強制的に縮径されていないから、端子金具等の挿通はスムーズに行われる。ホルダが本係止位置に保持されると、圧入突部が圧入孔に圧入されて挿通孔がほぼ全周から縮径され、電線回りのシールが取られる。  
端子金具並びに電線の挿通作業性を良好に保ちつつ、高い信頼性を持って電線回りをシールすることができる。また、ホルダがコネクタハウジングに保持されてアッセンブリ化できるから、使い勝手に優れたものとなる。
【発明を実施するための最良の形態】
【００１１】
＜実施形態＞
以下、本発明の一実施形態を図１ないし図１２に基づいて説明する。  
本実施形態の防水コネクタは、複数本の電線Ｗを一括してシールするタイプのものであって、図１に示すように、電線Ｗの端末に接続された端子金具（図示せず）が収容されるコネクタハウジング１０（以下、単にハウジング１０という）と、ハウジング１０に装着されて電線Ｗの周りをシールする一括ゴム栓２０（以下、単にゴム栓２０という）と、ハウジング１０に装着されてゴム栓２０を保持するホルダ３０とから構成されている。  
なお以下では、ハウジング１０に対する端子金具の挿入方向（図１の上方）を前方として説明する。
【００１２】
ハウジング１０は合成樹脂製であって、図２にも示すように、その内部には、電線Ｗの端末に接続された端子金具を後方から挿入して収容可能な１２室のキャビティ１１が、６室ずつ上下２段に分かれて形成されている。  
ハウジング１０の後面における上記のキャビティ１１の形成領域には、横長の方形をなす周壁１２が突設され、同周壁１２の内側に、ゴム栓２０並びにホルダ３０を収容可能な収容室１３が後方へ開口して設けられている。
【００１３】
ゴム栓２０は、図３に示すように、横長の方形をなす厚板状に形成されており、上記した収容室１３における奥側の略半分の領域に緊密に嵌合可能となっている。ゴム栓２０の外周面における中央幅部分には、収容室１３の内周面に密着して両面間を水密状に保つための外周リップ２１が周設されている。  
ゴム栓２０には、端子金具並びに電線Ｗを挿通可能な挿通孔２３が前後面に貫通して設けられている。同挿通孔２３は、上記したハウジング１０に設けられたキャビティ１１の配列と対応して６個ずつ上下２段に形成されており、ゴム栓２０が収容室１３に収容された場合に各キャビティ１１と整合するようになっている。  
挿通孔２３は、電線Ｗよりも若干大きい径を持った円形孔であって、その内周面の中央幅部分には、電線Ｗの外周面に密着して両面間を水密状に保つためのリップ２４が周設されている。
【００１４】
ホルダ３０は合成樹脂製であって、図４に示すように、ゴム栓２０とほぼ同じ大きさの横長の方形をなす厚板状に形成されている。ホルダ３０には、端子金具及び電線Ｗを挿通可能な導入孔３１が前後に貫通して設けられている。導入孔３１は、端子金具がクリアランスを持って挿通できるように、ゴム栓２０の挿通孔２３よりも一回り大きい円形孔として形成されており、同挿通孔２３並びにハウジング１０のキャビティ１１と同じ配列で形成されている。
【００１５】
ホルダ３０は、収容室１３内においてゴム栓２０の後方に収容可能となっており、かつ、ホルダ３０の前面がゴム栓２０の後面から離間して同ホルダ３０の後端側の所定厚さ部分が収容室１３の開口面から後方に突出する仮係止位置（図５参照）と、ホルダ３０の前面がゴム栓２０の後面に当接して同ホルダ３０の後面が収容室１３の開口面と面一となる本係止位置（図９参照）とでそれぞれ保持可能となっている。
【００１６】
そのためホルダ３０の外周面には、図１及び図４に示すように、仮係止突部３３と本係止突部３４とが形成されている。詳細には、ホルダ３０の上下両面では、その両端部に、仮係止突部３３と本係止突部３４とが一対ずつ、また、左右両面では、中央高さ位置に仮係止突部３３、上下両端に寄った位置に本係止突部３４がそれぞれ形成されており、かつ、仮係止突部３３は前縁寄りに、本係止突部３４は後縁寄りに形成されている。図７及び図８に示すように、両係止突部３３，３４とも、後面側が切り立った係止面３３Ａ，３４Ａで、前面側がテーパ面３３Ｂ，３４Ｂとなっている。
【００１７】
一方、ハウジング１０の収容室１３の周壁１２には、上記した各仮係止突部３３と本係止突部３４とがそれぞれ嵌合される仮係止孔１５と本係止孔１６とが、対応位置に開口されている。仮係止孔１５は、図１及び図７に示すように、周壁１２の後縁位置から前方に比較的長く延びた方形孔として形成され、後面が係止面１５Ａに、その前方が仮係止突部３３の逃がし領域１５Ｂとなっている。一方、本係止孔１６は、図１及び図８に示すように、後面である係止面１６Ａが、仮係止孔１５の係止面１５Ａよりも少し後方にあり、かつ短寸の方形孔として形成されている。
【００１８】
ホルダ３０は、図７に示すように、仮係止突部３３が対応する仮係止孔１５の係止面１５Ａに係止し、かつ本係止突部３４が周壁１２の後面に当接した状態で、上記した仮係止位置に保持される。一方、図１１及び図１２に示すように、仮係止突部３３が仮係止孔１５内を前方に逃げつつ、本係止突部３４が本係止孔１６の係止面１６Ａに係止することで、本係止位置に保持されるようになっている。
【００１９】
さて、ゴム栓２０の後面には、図３及び図７に示すように、圧入孔４０Ａ，４０Ｂが前面に貫通して形成されている。圧入孔４０Ａ，４０Ｂは、各挿通孔２３の回りにおいて９０度間隔を開けた４箇所に位置するように形成されている。より詳細には、上段の挿通孔２３列と下段の挿通孔２３列の中間領域２６Ｃにおいて、横方向に隣り合った挿通孔２３の中間位置ごとと、左右両端の挿通孔２３の外側に突出した位置の７箇所と、上段の挿通孔２３列の上側領域２６Ｕ、並びに下段の挿通孔２３列の下側領域２６Ｄにおいて、同じく横方向に隣り合った挿通孔２３の中間位置ごとと、左右両端の挿通孔２３の外側に突出した位置の７箇所ずつとの、合計２１箇所に形成されている。
【００２０】
上下の挿通孔２３列の中間領域２６Ｃに形成された圧入孔４０Ａは、原型が斜方形、この実施形態の場合は正方形を中心回りに４５度回動させた形状であって、かつ各辺が、対向した挿通孔２３と同心の円弧形辺４１として形成されている。また、同圧入孔４０Ａの４箇所の隅部４２には丸みが付けられている。  
これに対して、上段の挿通孔２３列の上側領域２６Ｕ、並びに下段の挿通孔２３列の下側領域２６Ｄに形成された圧入孔４０Ｂは、それぞれ上記した圧入孔４０Ａの下半分または上半分の形状となっている。言い換えると、上側領域２６Ｕの圧入孔４０Ｂは、原型が下向きの二等辺三角形、下側領域２６Ｄの圧入孔４０Ｂは、原型が上向きの二等辺三角形であって、それぞれの斜辺が、対向した挿通孔２３と同心の円弧形辺４１として形成されている。また、同圧入孔４０Ｂの３箇所の隅部４２にも丸みが付けられている。
【００２１】
したがって、各挿通孔２３の回りには、２個の原型斜方形の圧入孔４０Ａと、２個の原型二等辺三角形の圧入孔４０Ｂとが、９０度の角度間隔を開けて配された形態となり、各圧入孔４０Ａ，４０Ｂにおける挿通孔２３と対向位置にある円弧形辺４１が、同挿通孔２３と同心円上において同挿通孔２３の回りを四方から囲んだ状態となる。
【００２２】
一方、ホルダ３０の前面には、上記したゴム栓２０に形成された圧入孔４０Ａ，４０Ｂに個別に圧入される圧入ピン５０Ａ，５０Ｂが突設されている。圧入ピン５０Ａ，５０Ｂは、ゴム栓２０側の圧入孔４０Ａ，４０Ｂと対応した位置ごとに形成され、したがって各導入孔３１の回りにおいて９０度間隔を開けた４箇所に位置するように形成されている。改めると、上段の導入孔３１列と下段の導入孔３１列の中間領域３６Ｃにおいて、横方向に隣り合った導入孔３１の中間位置ごとと、左右両端の導入孔３１の外側に突出した位置の７箇所と、上段の導入孔３１列の上側領域３６Ｕ、並びに下段の導入孔３１列の下側領域３６Ｄにおいて、同じく横方向に隣り合った導入孔３１の中間位置ごとと、左右両端の導入孔３１の外側に突出した位置の７箇所ずつとの、合計２１箇所に形成されている。
【００２３】
中間領域３６Ｃに形成された圧入ピン５０Ａは、対応する圧入孔４０Ａよりも少し大きい断面形状を有している。簡単に繰り返すと、圧入ピン５０Ａの断面形状は、原型が圧入孔４０Ａよりも少し大きい斜方形で、各辺が円弧形辺５１として形成され、また圧入ピン５０Ａの４箇所の角部５２には丸みが付けられている。  
上段の導入孔３１列の上側領域３６Ｕ、並びに下段の導入孔３１列の下側領域３６Ｄに形成された圧入ピン５０Ｂも、同様に対応した圧入孔４０Ｂよりも少し大きい断面形状を有しており、すなわち原型が、対応した圧入孔４０Ｂよりも少し大きい下向きまたは上向きの二等辺三角形であって、それぞれの斜辺が円弧形辺５１として形成され、また同圧入ピン５０Ｂの３箇所の角部５２にも丸みが付けられている。  
すべての圧入ピン５０Ａ，５０Ｂは、ホルダ３０の厚さの２／３程度の突出長さを有している。
【００２４】
ホルダ３０が上記した仮係止位置に保持された状態では、圧入ピン５０Ａ，５０Ｂが対応した圧入孔４０Ａ，４０Ｂに圧入されるが、全深さの１／３程度、すなわち挿通孔２３のリップ２４と対応する深さ位置の手前に圧入されることに留まる。一方、ホルダ３０が本係止位置に保持された状態では、圧入ピン５０Ａ，５０Ｂが対応した圧入孔４０Ａ，４０Ｂにおける全深さの２／３程度まで、すなわちリップ２４の形成位置を越えた深さ位置まで圧入されるようになっている。
【００２５】
続いて、本実施形態の作用を説明する。防水コネクタを組み付けるには、図１に示す状態から、ゴム栓２０を収容室１３内に後方から嵌合して奥面に当て、続いて、その後側からホルダ３０を嵌め込む。このとき、図５及び図７に示すように、各仮係止突部３３を仮係止孔１５に嵌めた仮係止位置に装着する。これにより、ゴム栓２０及びホルダ３０をハウジング１０に仮保持してアッセンブリ化して扱うことができるので、取り扱いが簡便となる。  
ホルダ３０が仮係止位置に保持された状態では、圧入ピン５０Ａ，５０Ｂが対応する圧入孔４０Ａ，４０Ｂに圧入されることに伴い、挿通孔２３の周縁部が四方から押圧されることになるが、図８に示すように、圧入ピン５０Ａ，５０Ｂの圧入深さが１／３程度に留められているから、挿通孔２３における入口側の周縁部が押圧されることに留まる。
【００２６】
上記のようにホルダ３０を仮係止位置に装着した状態で、ハウジング１０の各キャビティ１１内に電線Ｗに接続した各端子金具を挿入する作業を行う。端子金具と電線Ｗとは、ホルダ３０の導入孔３１に後方から挿通され、導入孔３１に続いてゴム栓２０の挿通孔２３を拡径させつつ押し込まれて、最後にキャビティ１１に挿入されて収容される。このとき上記のように、ゴム栓２０の挿通孔２３は入口側の周縁部が押圧されることに留まり、リップ２４の形成位置では弾拡して逃げやすくなっているから、端子金具は比較的小さな挿入抵抗を受けるだけで、スムーズに挿入される。
【００２７】
すべての端子金具を挿入し終えたら、ホルダ３０を本係止位置に向けて押し込み、図１２に示すように、本係止突部３４が本係止孔１６に嵌ったところで本係止位置に保持される。ホルダ３０が本係止位置まで押し込まれると、圧入ピン５０Ａ，５０Ｂが圧入孔４０Ａ，４０Ｂ内に２／３深さまで圧入され（図１１，１２）、したがって図１０の矢線に示すように、挿通孔２３の周縁部は、入口からリップ２４の形成位置にわたる領域において四方から押圧され、それに伴いリップ２４の内周面が電線Ｗの外周面にさらに押し付けられて密着される。
【００２８】
ここで、挿通孔２３の回りに配された圧入孔４０Ａ，４０Ｂにおける挿通孔２３と対向する部分が、挿通孔２３の周縁に倣った円弧形辺４１となっているから、挿通孔２３の周縁部を内方に押圧する場合に、全周のうちの広い領域において押圧することができる。そのため、電線Ｗの外周面の全周にわたってほぼ満遍なくリップ２４の内周面が強固に密着され、電線Ｗ回りについて高いシール性を得ることができる。
【００２９】
以上のように本実施形態によれば、ゴム栓２０の各挿通孔２３の回りには、それぞれ４個の圧入孔４０Ａ，４０Ｂが９０度間隔で配され、かつ各圧入孔４０Ａ，４０Ｂにおける挿通孔２３と対向する部分が、それぞれ挿通孔２３の周縁に倣った円弧形辺４１として形成されているから、圧入ピン５０Ａ，５０Ｂが圧入されることに伴い挿通孔２３の周縁部を内方に押圧する場合に、全周のうちの広い領域において押圧することができる。そのため、電線Ｗの外周面の全周にわたってほぼ満遍なく挿通孔２３内のリップ２４の内周面が強固に密着され、高い信頼性を持って電線Ｗ回りをシールすることができる。
【００３０】
なお、圧入孔４０Ａ，４０Ｂの隅部４２には丸みが付けられているから、圧入ピン５０Ａ，５０Ｂが圧入された場合に同隅部４２から亀裂が入ること等が防止される。  
またホルダ３０は、実質的に圧入ピン５０Ａ，５０Ｂを圧入することに機能しない仮係止位置に保持できるようになっていて、ホルダ３０を同仮係止位置に保持しておく限り、挿通孔２３に端子金具と電線Ｗとを挿通する場合の抵抗増を小さく抑えることができ、すなわち端子金具並びに電線Ｗの挿通作業性を良好に保つことができる。一方、端子金具と電線Ｗの挿通作業時にホルダ３０がハウジング１０に組み付けられてアッセンブリ化できるから、挿通作業がしやすい等の使い勝手に優れたものとなる。
【００３１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態では、一括ゴム栓に設ける圧入孔を後面から前面に貫通した形状としたが、前面に開口することなく行き止まり状であってもよい。  
（２）上記実施形態では、ホルダが仮係止位置にあるときには、圧入ピンが圧入孔に対して挿通孔のリップの位置の手前に留まる程度に圧入されるようにしたが、リップの形成位置等によっては、ホルダが仮係止位置にあるときには圧入ピンが圧入孔に入り込む手前に留まるようにしてもよい。  
（３）ホルダは、仮係止位置に保持されることなく、本係止位置のみに保持されるようになっていてもよく、そのようなものも本発明の技術的範囲に含まれる。
【００３２】
（４）キャビティの数、配列について、上記実施形態に示したものは一例であって、他の数、配列であってもよい。  
（５）回りに４個の挿通孔がある場合の圧入孔並びにそれに圧入される圧入ピンの形状については、挿通孔の横方向のピッチや縦方向のピッチにより、原型を縦長や横長の菱形として対応することができる。  
（６）本発明は、雌端子を収容する雌コネクタ、雄端子を収容する雄コネクタのいずれにも適用することができる。
【図面の簡単な説明】
【００３３】
【図１】本発明の一実施形態に係る一部切欠分割平面図
【図２】ハウジングの背面図
【図３】一括ゴム栓の背面図
【図４】ホルダの背面図
【図５】ホルダが仮係止位置に保持されて端子金具がハウジングに収容された状態の一部切欠平面図
【図６】図５のVI−VI線断面図
【図７】図５のVII−VII線断面図
【図８】図５のVIII−VIII線断面図
【図９】ホルダが本係止位置に保持された状態の一部切欠平面図
【図１０】図９のX−X線断面図
【図１１】図９のXI−XI線断面図
【図１２】図９のXII−XII線断面図
【符号の説明】
【００３４】
Ｗ…電線
１０…コネクタハウジング
１１…キャビティ
１２…周壁
１３…収容室
１５…仮係止孔
１６…本係止孔
２０…ゴム栓
２３…挿通孔
２４…リップ
３０…ホルダ
３１…導入孔
３３…仮係止突部
３４…本係止突部
４０Ａ，４０Ｂ…圧入孔
４１…円弧形辺
４２…（圧入孔４０Ａ，４０Ｂの）隅部
５０Ａ，５０Ｂ…圧入ピン（圧入突部）
５１…円弧形辺
５２…（圧入ピン５０Ａ，５０Ｂの）角部
【図１】
2008166045.tif 000003
【図２】
2008166045.tif 000004
【図３】
2008166045.tif 000005
【図４】
2008166045.tif 000006
【図５】
2008166045.tif 000007
【図６】
2008166045.tif 000008
【図７】
2008166045.tif 000009
【図８】
2008166045.tif 000010
【図９】
2008166045.tif 000011
【図１０】
2008166045.tif 000012
【図１１】
2008166045.tif 000013
【図１２】
2008166045.tif 000014